(57)【要約】【課題】  連結する二つの部品に直線上に位置する連通孔に挿通して固定する連結ピンにおいて、連結強度も十分に確保でき、更に部品点数も削減でき、多種多様のサイズの挿通部の要求に容易に対応でき、コストダウンを図れるなど極めて実用性に秀れた連結ピンの構造を提供する。【解決手段】  二つの部品の直線上に位置する連通孔へ挿入して連結する挿通軸部と、一方の部品へ抱持するように係止する屈曲弾性を有する抱持部とを並設して成る連結ピン３において、挿通軸部４と、抱持部５とを各々の部材で形成して連結したことを特徴とする。【選択図】  図３
0003158627.tif 000002
【実用新案登録請求の範囲】
【請求項１】
二つの部品の直線上に位置する連通孔へ挿入して連結する挿通軸部と、一方の部品へ抱持するように係止する屈曲弾性を有する抱持部とを並設して成る連結ピンにおいて、
挿通軸部と、抱持部とを各々の部材で形成して連結したことを特徴とする連結ピンの構造。
【請求項２】
抱持部を共通の部材とし、挿通軸部を連通孔に合わせて選択して連結したことを特徴とする請求項１記載の連結ピンの構造。
【請求項３】
挿通軸部の基端面に凹部を穿設し抱持部の基部を折り返して嵌入して固着したことを特徴とする請求項１又は２記載の連結ピンの構造。
【考案の詳細な説明】
【技術分野】
【０００１】
本考案は、連結する二つの部品に直線上に連続する貫通孔に挿通して固定する連結ピンの構造に関するものである。
【背景技術】
【０００２】
連結する二つの部品に直線上に連続する貫通孔に挿通して固定する連結ピンの用途として、例えば、ゴルフ場や公園などの芝面の土壌改良をし、芝の育成を図るための土壌改良用エアレーション装置に使用するタインやスライス刃等において、ホールドピンとタイン本体や、スライス刃と取り付けブラケットを着脱可能に連結するものがある。
【０００３】
ところで、土壌改良用のエアレーション装置は、走行可能な装置本体の後部に、上下方向に往復運動する多数本のタインを装着してあり、このタインを芝面の土中に突き刺すことにより、多数の細穴を芝面に形成し、この細穴により雨水や空気を土中に浸透させ、或いは施肥用の穴としても利用するものである。
【０００４】
そして、上記タインの一つに、パイプ材の先端部を肉薄にして円形の刃先を形成したパイプ状の刃物であって、土をタインの内径にしたがって、円筒状のコアとして地上に掘り上げるものがある。
そして、エアレーション機械にあっては、タインは、機械本体の駆動部に対し、１本ずつ強固にねじ止めして装着するのが普通である。
【０００５】
したがって、タインの交換には時間を要し、小型機であっても１０数本以上のタインが装着されているのが普通であり、しかも、タインは消耗品であって、半日ないし１日ごとに新品と交換しなければならないから、その交換には相当の作業時間を必要とする。
そして、タインは機械の下部に装着されているから、その交換作業も極めて煩雑である。
【０００６】
そこで、タインの交換作業の能率化を図るため、タインホルダーに取り付けられるホールドピンが上部より挿通可能にタイン本体が筒状に形成し、タイン本体の土抜き用長孔より上方位置でタイン本体の周側面に、ホールドピンとタイン本体を着脱可能に連結する連結ピンの挿通孔を対向して穿設し、ホールドピンの軸部をタイン本体の上部より挿入し、タイン本体の挿通孔よりホールドピンの貫通孔に連結ピンを挿通し、更にこの固定ピンの差し込み貫通先端に脱却防止用のスプリングピン（スナップピン）を着脱自在に差し込み係止する構成とすることによりホールドピンとサイドオープンタイン本体を着脱自在に連結できるようにしたものがある。
【０００７】
また、連結ピンを、連通孔に挿通する挿通杆部と、この挿通杆部と並設される屈曲弾性を有する抱持部とで構成し、この抱持部の屈曲弾性に抗して挿通杆部を連通孔に挿通することで、この抱持部が嵌合連結部に抱持係止するようにしたもの、そして、挿通杆部に割ピン状の被嵌ピンを被嵌して挿通杆部を太くし、連通孔の孔径に応じて挿通杆部の径を調整し、挿通杆部の差し込み時のガタ付きや差し込み圧入具合を適当となるようにしたものもある。
【先行技術文献】
【特許文献】
【０００８】
【特許文献１】特開平１１−１８７７０４号公報
【特許文献２】特開２０００−６０２１４号公報
【考案の概要】
【考案が解決しようとする課題】
【０００９】
上記の例によるタイン構造とすることにより、タインの交換に際して、取り付けネジがない構造であるから単に連結ピンの抜き差し等によって着脱でき、タインの交換が容易に行えることとなる。
【００１０】
しかしながら、連結ピンを側方より差し込んだ後、更にスプリングピンを差し込むものは、交換における脱却操作が二操作必要であり、それだけまだまだ手際良くスピーディーにして簡単に交換が行えず、しかも部品点数も多くコスト高となること、把持部を有する連結ピンとしたものは、作業性は良好であるけれど、機種や目的よって多種多様のサイズの挿通杆部の要求に容易に対応できないこと等の問題を残している。
【００１１】
そこで、本考案は、この様に連結する二つの部品に直線上に連続する連通孔に挿通して固定するこのような連結ピンにおいて、連結強度も十分に確保でき、部品点数も削減して多種多様のサイズの挿通部の要求に容易に対応でき、コストダウンを図れる等、極めて実用性に秀れた連結ピンの構造を提供することを目的とする。
【課題を解決するための手段】
【００１２】
本考案の請求項１に記載した連結ピンの構造は、二つの部品の直線上に位置する連通孔へ挿入して連結する挿通軸部と、一方の部品へ抱持するように係止する屈曲弾性を有する抱持部とを並設して成る連結ピンにおいて、挿通軸部と、抱持部とを各々の部材で形成して連結したことを特徴とするものである。
【００１３】
また、本考案の請求項２に記載した連結ピンの構造は、請求項１において、抱持部を共通とし、挿通軸部を連通孔に合わせて選択して連結したことを特徴とするものである。
【００１４】
そして、本考案の請求項３に記載した連結ピンの構造は、請求項１又は２において、挿通軸部の基端面に凹部を穿設し抱持部の基部を折り返して嵌入して固着したことを特徴とするものである。
【考案の効果】
【００１５】
請求項１の連結ピンの考案は、一操作で二部品に着脱でき、しかも連結強度も十分に確保でき、更に部材点数も削減できる効果を有する。
そして、連結ピンを、連通孔に挿通する挿通軸部と、一方の部品へ抱持するように係止する屈曲弾性を有する抱持部とを並設し、連結した二つの部材で形成したため、挿通軸部と抱持部との各々の材質上の条件を共に充足する一つの材質である必要がなく、各条件のみを充たす各々の材質の選択が可能となり、資源の有効利用とコストダウンに資する効果を期待できるものである。
【００１６】
請求項２の考案は、請求項１の効果に加え、連結ピンの抱持部を共通とし、挿通軸部を挿通孔に合わせて選択して連結するものであるから、折曲加工を要する抱持部を多種多様のサイズの挿通部を有する総ての連結ピンに共通に用いることができることになり、各サイズに応じた在庫量の確保、それに伴う不要な折曲加工が回避されると共に、材料のムダを削減して生産効率を高め、コストダウンも図れる効果を有する。
【００１７】
請求項３の考案は、請求項１又は２の効果に加え、挿通軸部の基端面に凹部を穿設し抱持部の基部を折り返して嵌入して固着したものであるから、確実容易に連結強度を得られる効果を有する。
【図面の簡単な説明】
【００１８】
【図１】本考案の連結ピンの一実施の形態を示す正面図である。
【図２】挿通軸部の他の実施の形態を示す一部縦断正面図である。
【図３】本考案の連結ピンの使用の状態を示す分解斜視図である。
【図４】本考案の連結ピンの使用の状態を示す縦断側面図である。
【考案を実施するための形態】
【００１９】
本考案の一実施の形態を図面に基づき説明する。
図面はエアレーション装置におけるサイドオープンタインとホールドピンの連結に本考案の連結ピンを用いた一実施の形態例である。
【００２０】
図３に示すように、本考案の連結ピン３を使用するサイドオープンタイン本体１は、パイプ材の先端を肉薄にすることにより、円形の刃先１Ａを先端に形成すると共に、側部に土抜き用長孔１Ｂが形成され、土抜き用長孔１Ｂの上下両端部１Ｃは斜面となっている。
【００２１】
そして、土抜き用長孔１Ｂより上方位置でサイドオープンタイン本体１の周側面に、ホールドピン２とサイドオープンタイン本体１を着脱可能に連結する連結ピン３の挿通孔１Ｄが穿設されている。
挿通孔１Ｄは土抜き用長孔１Ｂより上方位置であれば、図面のように土抜き用長孔１Ｂと同一面側でなくて側面側でもよい。
【００２２】
ホールドピン２は上部の小径の取り付け部２Ａ、中間の大径の鍔部２Ｂ、下部の軸部２Ｃからなる棒状部材であり、取り付け部２Ａは機械本体のタインホルダー（図示せず。）に螺子止め等により取り付けられている。
軸部２Ｃの外径は前記サイドオープンタイン本体１の内径に適合し、軸部２Ｃの下端は斜面２Ｄに形成され、その傾斜角はサイドオープンタイン本体１の長孔１Ｂの上端部の斜面１Ｃの傾斜角に一致する。
【００２３】
また、軸部２Ｃの長さはサイドオープンタイン本体１の上端から長孔１Ｂの上端までの長さに適合し、側部に連結ピン３の貫通孔２Ｅが穿設されている。
貫通孔２Ｅは軸部２Ｃをサイドオープンタイン本体１に挿入した場合にサイドオープンタイン本体１の挿通孔１Ｄの位置と合致して連通孔を形成する。
【００２４】
連結ピン３は、サイドオープンタイン本体１の一方の挿通孔１Ｄ、ホールドピン２の貫通孔２Ｅ、及びサイドオープンタイン本体１の他方の挿通孔１Ｄより形成される二つの部品の連通孔に挿入し、サイドオープンタイン本体１に挿入されたホールドピン２とサイドオープンタイン本体１を連結するものである。
【００２５】
即ち、連結ピン３は、サイドオープンタイン本体１の挿通孔１Ｄとホールドピン２の貫通孔２Ｅとの連通孔に挿通するピン状の挿通軸部４と、ホールドピン２が嵌合するサイドオープンタイン本体１に抱持係止する屈曲弾性を有する湾曲ピン状の抱持部５との二つの部材で構成され、抱持係止する屈曲側を挿通軸部４に対峙して両者を並設し、挿通軸部４の上面と抱持部５の折り返した基端を溶接６して一体に固着されている。
【００２６】
そこで、この抱持部５の屈曲弾性に抗して抱持部５と前記挿通軸部４との間隔を押し広げてこの挿通軸部４を前記連通孔に挿通することで、押し広げられた抱持部５が復帰してサイドオープンタイン本体１に抱持状態となり挿通軸部４が抜け止め係止されるようになるのである（図４）。
【００２７】
本考案においては、挿通軸部４の径及び長さを適宜選択して抱持部５と連結することにより、多種多様なサイドオープンタインの連結ピンに対応できものを提供できる。
一方、抱持部５における、サイドオープンタイン本体との抱持状態での屈曲弾性による復帰係止作用は、サイドオープンタイン本体の径の多少の大小に拘わらず機能するものであるから、挿通軸部４の径及び長さに関係なく同一の抱持部５を使用しても良いものである。
【００２８】
図２は挿通軸部４の他の実施の形態を示すものであり、挿通軸部４の基端面４Ａに凹部４Ｂを穿設し、折り返した抱持部５の基部を嵌入すると共に溶接して固着するようにしたものである。
連結手段は、溶接のみに限らず挿通軸部４の基端面４Ａに凹部４Ｂに折り返した抱持部５の太めの基部を圧入したり、雌・雄ネジを設けて螺入したり、或いはかしめる等の公知の連結手段が考えられる。
【００２９】
また、本実施の形態例では、一本の線材を折り返し折曲して抱持部５を形成し、折曲基部が摘子部となるように挿通軸部４の上端面と連結し、連結ピン４をいわゆるスナップピン状に構成しているけれど、挿通杆部４の左右に抱持部５を形成してだるまピン状に構成しても良い。
【００３０】
尚、このように、実施の形態例を、エアレーション装置のサイドープンタインで説明したが、ムクタイン、十字タイン等の各種タイン、或いはスライス刃と取り付けブラケットとの連結は勿論、他の機械・装置・器具の部品同士の連通孔へ挿通して固定するための連結ピンとして使用できることは言うまでも無い。
【符号の説明】
【００３１】
１    サイドオープンタイン本体
１Ａ  刃先
１Ｂ  土抜き用長孔
１Ｄ  挿通孔
２    ホールドピン
２Ｅ  挿通孔
３    連結ピン
４    挿通軸部
４Ａ  挿通軸部の基端面
４Ｂ  凹部
５    抱持部
６    溶接
【図１】
0003158627.tif 000003
【図２】
0003158627.tif 000004
【図３】
0003158627.tif 000005
【図４】
0003158627.tif 000006